(57)【要約】【課題】  機能部品の不正な取り外しを防止でき、かつ、機能部品の取付作業性を向上できる建具を提供すること。【解決手段】  建具は左右の縦枠１３を有する窓枠と、縦枠１３間に跨って取り付けられる面格子９０とを備える。縦枠１３は、上下方向に延長された筒状部１３２Ｂを有し、面格子９０は筒状部に沿って配置される縦格子材９１を有する。縦格子材９１の貫通孔９１Ａから縦枠１３の孔１３２Ｃを介して筒状部１３２Ｂに固定ピン９５を差し込んで窓枠に面格子９０を取り付ける。この際、固定ピン９５の一端は縦格子材９１の表面に没入させる。固定ピンが縦格子材９１から突出していないので、固定ピン９５をペンチなどで掴んで取り外すことを確実に防止できる。このため、面格子９０を不正に取り外すことを防止でき、防犯性能も向上できる。【選択図】  図５
2006233717.tif 000002
【特許請求の範囲】
【請求項１】
対向配置された左右の縦枠を有する本体枠と、この本体枠の縦枠間に跨って取り付けられる機能部品とを備える建具であって、
前記縦枠は、上下方向に延長された中空の筒状部を有し、
前記機能部品は、前記縦枠の筒状部に沿って配置される取付ベースを有し、
前記取付ベースに形成された貫通孔から前記縦枠に形成された孔を介して筒状部に差し込まれた固定ピンによって本体枠に機能部品が取り付けられるとともに、前記固定ピンの一端の少なくとも外周は取付ベースの表面と面一または取付ベースの表面に没入されている建具。
【請求項２】
前記固定ピンの一端面は平面とされ、この一端面が取付ベースの表面と面一または取付ベースの表面に没入されている請求項１に記載の建具。
【請求項３】
前記固定ピンの一端は、固定ピンの一端に向かうにしたがって径が小さくなる先細形状とされ、この一端の少なくとも外周は取付ベースの表面と面一または取付ベースの表面に没入されている請求項１に記載の建具。
【請求項４】
前記縦枠の筒状部内には断面略コ字状に形成された保持部品が設けられ、
前記縦枠の筒状部に差し込まれた固定ピンの他端は、前記保持部品に保持されている請求項１から請求項３のいずれかに記載の建具。
【請求項５】
前記固定ピンの外周面には、固定ピンの軸直交方向に沿って係合溝が形成され、前記保持部品は固定ピンの前記係合溝に係合する係合突部を備えている請求項４に記載の建具。
【請求項６】
前記固定ピンの側面には固定ピンの一端から固定ピンの長手方向に沿って延長されたガイド溝が形成され、かつガイド溝の底面の一部には係合穴部が形成され、
前記固定ピンは、ガイド溝から挿入されて前記係合穴部に係合可能な工具によって取り外し可能に取り付けられている請求項１から請求項５のいずれかに記載の建具。
【請求項７】
前記固定ピンの一端側の端面には固定ピンの長手方向に沿って延長されたガイド孔が形成され、ガイド孔にはガイド孔に対して直交する係合穴部が連通され、
前記固定ピンは、ガイド孔から挿入されて前記係合穴部に係合可能な工具によって取り外し可能に取り付けられている請求項１または請求項５のいずれかに記載の建具。
【発明の詳細な説明】
【技術分野】
【０００１】
本発明は、建具に関し、詳しくは、窓枠等からなる本体枠と、この本体枠に取り付けられた格子部品や手摺部品などの機能部品とを備えた上げ下げ窓等の建具に関する。
【背景技術】
【０００２】
住宅等の外壁開口部に設けられる窓（サッシ窓）の防犯性能を向上させるため、窓枠の室外側に面格子を取り付けた窓が知られている（例えば、特許文献１参照）。
このような従来の窓では、通常、面格子はビスによって窓枠に取り付けられていた。
【０００３】
【特許文献１】実公昭６０−２９５９１号公報
【発明の開示】
【発明が解決しようとする課題】
【０００４】
しかしながら、面格子をビス止めしている場合には、ビスが取り外されてしまうと面格子も室外側から取り外すことができるため、面格子が不正に取り外されてしまい防犯性能が低下するおそれがあった。
このため、ビスの頭に形成されている溝を潰したり、接着剤などで埋めてビスの取り外しを防止することも行われているが、その分、面格子の取付作業が煩雑になり、施工作業性が低下するという問題があった。
このような問題は、面格子を取り付ける場合に限らず、手摺やフラワーボックスなどの各種の機能部品を窓枠等の本体枠に取り付ける場合にも共通するものであった。
【０００５】
本発明の目的は、機能部品の不正な取り外しを防止でき、かつ、機能部品の取付作業性を向上できる建具を提供することにある。
【課題を解決するための手段】
【０００６】
本発明の建具は、対向配置された左右の縦枠を有する本体枠と、この本体枠の縦枠間に跨って取り付けられる機能部品とを備える建具であって、前記縦枠は、上下方向に延長された中空の筒状部を有し、前記機能部品は、前記縦枠の筒状部に沿って配置される取付ベースを有し、前記取付ベースに形成された貫通孔から前記縦枠に形成された孔を介して筒状部に差し込まれた固定ピンによって本体枠に機能部品が取り付けられるとともに、前記固定ピンの一端の少なくとも外周は取付ベースの表面と面一または取付ベースの表面に没入されていることを特徴とする。
【０００７】
ここで、本体枠としては、例えば、上枠、下枠および左右の縦枠を有する窓枠などであればよい。
また、固定ピンの一端の外周とは、固定ピンの軸方向に平行な側面において最も一端側に位置する部分を意味する。例えば、固定ピンの一端面が平面とされていれば、その一端面における最外周部分が固定ピンの一端の外周となる。また、固定ピンの一端が例えば円錐状などに形成されている場合には、その円錐部分において最も径が大きくなる最外周部分つまり固定ピンの側面に連続する外周部分が固定ピンの一端の外周となる。
さらに、固定ピンの一端の外周が取付ベースの表面と面一または表面に没入されているとは、固定ピンの一端の外周が取付ベースの表面から突出しない状態を意味する。すなわち、取付ベースの貫通孔に挿入された固定ピンの一端の少なくとも外周が取付ベースの表面と同一レベルであるか、その表面よりも奥側に埋没されていることを意味する。
従って、固定ピンの一端外周を含む端面が平面とされている場合には、この一端面が取付ベースの表面と面一であるか、その表面よりも奥側に埋没されていればよい。また、固定ピンの一端側が例えば円錐状に形成されているなど、先細形状とされている場合には、その固定ピンの一端の少なくとも外周が取付ベースの表面と面一または表面に没入されていればよく、固定ピンの先細形状とされた先端側は取付ベースの表面から突出されていてもよい。
【０００８】
以上の本発明によれば、機能部品は縦枠間に配置され、かつ、機能部品の取付ベースから縦枠に固定ピンが差し込まれているので、本体枠に対して機能部品は上下、左右、室内外のいずれの方向にも移動不能に固定される。
この際、固定ピンの一端の少なくとも外周は取付ベースの表面と面一または取付ベースの表面に没入されているので、固定ピンをペンチなどで掴んで取り外すことを確実に防止できる。すなわち、固定ピンの一端側の全体が取付ベース表面と面一または取付ベース表面に没入されていて、外部に突出されていなければ、固定ピンをペンチ等で掴むことができず、固定ピンを取り外すことを防止できる。また、固定ピンの一端側が先細形状となっている場合には、その先細形状部分が取付ベース表面から突出していてもペンチ等で掴むことは難しく、固定ピンを取り外すことを防止できる。
また、固定ピンの他端は縦枠の筒状部内に配置されるため、縦枠の外部から固定ピンの他端側を掴んで取り外したり、固定ピンの他端側を押して固定ピンの一端側を取付ベースから突出させることも確実に防止できる。
このため、面格子などの機能部品を不正に取り外すことを防止でき、防犯性能も向上できる。
また、機能部品の取付は、機能部品および縦枠に形成された孔に固定ピンを差し込むだけでよいので、ビスで固定する場合に比べて機能部品の取付作業性も向上できる。
【０００９】
本発明の建具では、前記固定ピンの一端面は平面とされ、この一端面が取付ベースの表面と面一または取付ベースの表面に没入されていることが好ましい。
固定ピンの一端面が平面とされている場合には、固定ピンの一端外周が取付ベース表面と面一または取付ベース表面に没入されていれば、固定ピンの一端面全体も取付ベース表面と面一または取付ベース表面に没入されることになる。従って、固定ピンの一端側が取付ベース表面に突出しないので、固定ピンをペンチ等で掴むことができず、固定ピンの取り外しを確実に防止できる。
【００１０】
また、本発明の建具では、前記固定ピンの一端は、固定ピンの一端に向かうにしたがって径が小さくなる先細形状とされ、この一端の少なくとも外周は取付ベースの表面と面一または取付ベースの表面に没入されていることが好ましい。
固定ピンの一端が例えば円錐状や半球状などに形成されて先端に向かうにしたがって径が小さくなる先細形状つまり固定ピンの軸方向に対して傾斜面とされていれば、その部分をペンチで掴もうとしても、ペンチが滑ってしまい保持できない。従って、固定ピンの軸方向に対して平行な面つまり固定ピンの一端の外周から固定ピンの側面部分が取付ベース表面から突出されていなければ、つまり固定ピンの一端の外周が取付ベースの表面と面一または取付ベースの表面に没入されていれば、固定ピンを掴むことが難しく、固定ピンの取り外しを防止できる。
【００１１】
本発明の建具では、前記縦枠の筒状部内には断面略コ字状に形成された保持部品が設けられ、前記縦枠の貫通孔に差し込まれた固定ピンの他端は、前記保持部品に保持されていることが好ましい。
取付ベースの貫通孔や縦枠の孔部分のみで固定ピンを保持する場合には、固定ピンが傾いたり、ぐらついたりすることがないように、孔の肉厚寸法をある程度確保する必要がある。
これに対し、縦枠の中空状に形成された筒状部内に、固定ピンの一端を保持する保持部品を設ければ、孔の肉厚寸法が小さくても、固定ピンを安定して保持することができる。従って、縦枠や取付ベースの肉厚寸法も最小限に抑えることができ、その分、軽量化や低コスト化を実現できる。
【００１２】
本発明の建具では、前記固定ピンの外周面には、固定ピンの軸直交方向に沿って係合溝が形成され、前記保持部品は固定ピンの前記係合溝に係合する係合突部を備えていることが好ましい。
このような構成によれば、保持部品の係合突部を固定ピンの係合溝に係合させることで固定ピンの軸方向の移動を規制できるので、固定ピンの取付強度を向上できる。さらに、固定ピンの取付位置も精度良く設定でき、固定ピンの一端が取付ベースに没入された状態に確実にかつ容易に設定できる。
【００１３】
本発明の建具では、前記固定ピンの側面には固定ピンの一端から固定ピンの長手方向に沿って延長されたガイド溝が形成され、かつガイド溝の底面の一部には係合穴部が形成され、前記固定ピンは、ガイド溝から挿入されて前記係合穴部に係合可能な工具によって取り外し可能に取り付けられていることが好ましい。
このような構成によれば、固定ピンに形成されたガイド溝に挿入可能でかつ係合穴部に係合可能な専用工具を用意し、この専用工具をガイド溝に挿入して係合穴部の位置まで押し込み、係合穴部に専用工具を係合させた状態で専用工具を引き出す。専用工具は係合穴部に係合されているので、工具を引き出せば、工具とともに固定ピンも引き出されて取り外すことができる。
このため、専用工具を所持していない人によって、機能部品が不正に取り外されることを防止できるとともに、機能部品を交換する場合には専用工具を用いることで容易に固定ピンを取り外して作業することができる。従って、防犯性能を確保しつつ、メンテナンス性も確保できる建具を提供できる。
【００１４】
本発明の建具では、前記固定ピンの一端側の端面には固定ピンの長手方向に沿って延長されたガイド孔が形成され、ガイド孔にはガイド孔に対して直交する係合穴部が連通され、前記固定ピンは、ガイド孔から挿入されて前記係合穴部に係合可能な工具によって取り外し可能に取り付けられているものでもよい。
このような構成によっても、固定ピンに形成されたガイド孔に挿入可能な専用工具を用意し、この専用工具をガイド孔に挿入して係合穴部の位置まで押し込み、専用工具を回転させることなどで係合穴部に専用工具を係合させ、その状態で専用工具を引き出す。専用工具は係合穴部に係合されているので、工具を引き出せば、工具とともに固定ピンも引き出されて取り外すことができる。
このため、専用工具を所持していない人によって、機能部品が不正に取り外されることを防止できるとともに、機能部品を交換する場合には専用工具を用いることで容易に固定ピンを取り外して作業することができる。従って、防犯性能を確保しつつ、メンテナンス性も確保できる建具を提供することができる。
【発明を実施するための最良の形態】
【００１５】
以下、本発明の実施形態を図面に基づいて説明する。
図１は、本発明の実施形態に係る建具である上げ下げ窓１を室外側から見た正面図である。図２は、上げ下げ窓１を示す縦断面図である。図３および図４は、それぞれ上げ下げ窓１を示す横断面図であって、図３は、上部障子位置における横断面図であり、図４は、下部障子位置における横断面図である。
図１〜図４において、上げ下げ窓１は、戸建て住宅等の建物の外壁２における開口部３に設けられて建物の室内空間と室外空間とを仕切るもので、下端位置が床面よりも所定寸法（例えば、６００mm〜９００mm）だけ高い位置に設けられた腰窓である。
【００１６】
上げ下げ窓１は、上枠１１、下枠１２、および左右の縦枠１３を四周枠組みした本体枠である窓枠１０と、この窓枠１０の内側に開閉自在に支持された上部障子（上側の障子）２０および下部障子（下側の障子）３０とを備えて構成されている。窓枠１０は、開口部３周辺の柱や壁パネル等の建物躯体４に固定されている。上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。また、窓枠１０の室外側には、外部ブラインド４０が設けられ、上部障子２０の室内側における窓枠１０には、網戸５０が取り付けられている。
【００１７】
上部障子２０および下部障子３０は、それぞれ窓枠１０の縦枠１３に案内されて上下にスライド可能に支持されるとともに、上部障子２０が下部障子３０よりも室外側に設けられている。すなわち、上部障子２０によって室外側障子が構成され、下部障子３０によって室内側障子が構成されている。そして、上部障子２０の下框（外召合せ框）２２と下部障子３０の上框（内召合せ框）３１とが見込み方向に重なって上げ下げ窓１が閉じられるようになっている。上部障子２０は、その上框２１が上枠１１に当接した閉鎖位置から、閉じた状態の下部障子３０の上框３１に上框２１が略重なる開放位置までの間を、開閉移動可能に構成されている。一方、下部障子３０は、その下框３２が下枠１２に当接した閉鎖位置から、その上框３１が上枠１１に近接する開放位置までの間を、開閉移動可能に構成されている。
【００１８】
また、上部障子２０の高さ寸法、つまり上框２１上端縁から下框２２下端縁までの長さ寸法は、下部障子３０の高さ寸法よりも小さく形成され、具体的には、上部障子２０は、下部障子３０の略半分の高さ寸法に設定されている。すなわち、下部障子３０が閉鎖位置にある状態で上部障子２０を開放位置まで全開した場合には、上部障子２０が下部障子３０の略上半分室外側に重なった状態となり、この上部障子２０の上方に開口が形成されて上げ下げ窓１が開かれるようになっている。一方、上部障子２０が閉鎖位置にある状態で下部障子３０を開放位置まで全開した場合にも、下部障子３０の略上半分が上部障子２０および網戸５０の室内側に重なった状態となり、下部障子３０の下方に開口が形成されて上げ下げ窓１が開かれるようになっている。
【００１９】
窓枠１０において、上部障子２０の室外側には、機能部品である面格子９０が取り付けられている。
面格子９０は、左右一対の縦格子材９１と、縦格子材９１の上端間および下端間に取り付けられた上下一対の横格子材９２と、これら縦および横の格子材９１，９２で囲まれた内部に設けられた中格子材９３とを有して構成されている。そして、これらの縦格子材９１、横格子材９２、中格子材９３は、それぞれステンレスやアルミ合金等からなる角柱であって、互いに溶接で固定されている。
【００２０】
この面格子９０において取付ベースである縦格子材９１は、図５に示すように、縦枠１３の筒状部１３２Ｂに固定ピン９５によって固定されている。
すなわち、縦枠１３には、上下方向に沿って連続して形成された角筒状の中空部を有する筒状部１３２Ｂが形成されている。
筒状部１３２Ｂの窓枠１０内周側に面する見込み面部１３２Ａには孔１３２Ｃが形成されている。また、筒状部１３２Ｂ内には、保持部品９６が固定されている。
【００２１】
保持部品９６は、断面コ字状に形成され、かつ縦格子材９１と同程度の長さに形成された長尺材であり、アルミ合金等の押出形材などで構成されている。この保持部品９６は、開口面を見込み面部１３２Ａ側に向けた状態で縦枠１３にビスなどで固定されている。なお、保持部品９６は、通常は、縦枠１３と別体に形成して縦枠１３に固定すればよいが、縦枠１３と一体に成形してもよい。
【００２２】
面格子９０の取付ベースである縦格子材９１は、筒状部１３２Ｂの見込み面部１３２Ａに沿って配置され、見込み面部１３２Ａの孔１３２Ｃに対応する位置には貫通孔９１Ａが形成されている。
【００２３】
固定ピン９５は、ステンレスやアルミ合金製の金属材からなり、縦格子材９１の貫通孔９１Ａおよび縦枠１３の孔１３２Ｃに挿入されている。この際、固定ピン９５の一端（縦格子材９１側の端部）は、縦格子材９１に没入され、縦格子材９１から突出しないように配置されている。また、固定ピン９５の他端（縦枠１３側の端部）は保持部品９６に差し込まれている。
なお、本実施形態では、固定ピン９５は断面形状が円形のピンつまり丸棒状のピンとされているが、断面形状が三角形、四角形、六角形、八角形等の多角形とされたピンを用いてもよい。そして、縦格子材９１の貫通孔９１Ａおよび縦枠１３の孔１３２Ｃの形状は固定ピン９５の形状に合わせて形成すればよい。
また、本実施形態では、縦格子材９１と、縦格子材９１に隣接する中格子材９３との間隔は、固定ピン９５の長さ寸法よりも僅かに大きくされた程度とされ、比較的短く設定されている。
【００２４】
このような本実施形態における面格子９０の取付作業に関して説明する。
予め格子材９１〜９３を組み合わせて面格子９０を組み立てておく。また、縦格子材９１の所定位置に貫通孔９１Ａを形成しておく。
一方、縦枠１３の見込み面部１３２Ａの所定位置にも孔１３２Ｃを形成しておく。
【００２５】
次に、面格子９０を窓枠１０の縦枠１３間に配置する。そして、縦格子材９１および中格子材９３間の隙間から固定ピン９５を貫通孔９１Ａに差し込む。そして、固定ピン９５の一端面が縦格子材９１の表面よりも貫通孔９１Ａ内部側に位置するまで、つまり固定ピン９５の一端が縦格子材９１に没入されるまで固定ピン９５を押し込む。
この固定ピン９５を、例えば左右２カ所ずつ押し込むことで、面格子９０が縦枠１３に取り付けられる。なお、固定ピン９５の本数は、例えば、面格子９０の高さ寸法などに応じて設定すればよい。
【００２６】
このような本実施形態によれば、以下のような効果がある。
（１）面格子９０を縦枠１３に取り付ける際に、縦格子材９１および縦枠１３に固定ピン９５を差し込むだけでよいので、ビス止めする場合に比べても面格子９０の取付作業を非常に簡単に行うことができ、取付作業性を向上できる。
【００２７】
（２）固定ピン９５の一端は取付ベースである縦格子材９１に没入されているので、固定ピン９５をペンチなどで掴んで取り外すことを確実に防止できる。このため、面格子９０を不正に取り外すことを防止でき、防犯性能も向上できる。その上、室外側や室内側から固定ピン９５が見えにくいため、意匠性も向上できる。
また、固定ピン９５の他端も縦枠１３の筒状部１３２Ｂ内に配置されていて縦枠１３の外部に露出しないので、この点でも固定ピン９５を外部から取り外すことができず、防犯性能や意匠性を向上できる。
【００２８】
（３）縦枠１３の筒状部１３２Ｂ内に保持部品９６を配置し、固定ピン９５の他端を保持するようにしたので、貫通孔９１Ａや孔１３２Ｃに挿入された固定ピン９５を安定して保持することができる。このため、貫通孔９１Ａや孔１３２Ｃの肉厚寸法を大きくすることで、固定ピン９５の傾斜やぐらつきを防止する必要が無く、縦枠１３や縦格子材９１の肉厚寸法も最小限に抑えることができる。従って、縦枠１３や面格子９０の軽量化や低コスト化を実現できる。
【００２９】
（４）縦格子材９１および中格子材９３間の隙間寸法を、固定ピン９５の長手寸法と同等程度にしたので、その隙間部分に固定ピン９５を抜き出すための治具を配置することも難しくなり、防犯性能をより一層向上できる。
【００３０】
（５）面格子９０は、固定ピン９５を貫通孔９１Ａ，１３２Ｃに差し込むだけで取り付けることができるので、縦格子材９１および縦枠１３に貫通孔９１Ａや孔１３２Ｃを形成しておけば、その貫通孔９１Ａや孔１３２Ｃの位置に応じて自由な高さ位置に面格子９０を取り付けることができる。
【００３１】
（６）上部障子２０の室外側において横格子材９２および中格子材９３で格子ピッチが細かくなった面格子９０を設けたことによって、上部障子２０を開いて通気や換気を行う場合に、外部からの人の侵入や上部障子２０の操作を防止でき、防犯性をより一層向上させることができる。また、面格子９０の取付位置を上部障子２０の室外側に限定することで、下部障子３０を通した景観を阻害することがなく、快適性を確保することができる。
【００３２】
なお、本発明は、前記実施形態に限定されるものではなく、本発明の目的を達成できる他の構成等を含み、以下に示すような変形等も本発明に含まれる。
例えば、前記実施形態においては、固定ピン９５の他端は保持部品９６に差し込まれただけであったが、図６に示すように、固定ピン９５に係合溝９５１を形成し、保持部品９６に係合溝９５１に係合可能な係合突部９６１を形成してもよい。
このように構成すれば、保持部品９６の係合突部９６１を固定ピン９５の係合溝９５１に係合させることで固定ピン９５の軸方向の移動を規制できるので、固定ピン９５の取付強度を向上でき、かつ、固定ピン９５の取付位置も精度良く設定でき、固定ピン９５の一端を確実に縦格子材９１に没入させることができる。
【００３３】
さらに、前記実施形態では、固定ピン９５は原則として取り外さないものとしていたが、専用の工具によって比較的容易に取り外すことができるように構成してもよい。
例えば、図７，８に示すように、固定ピン９５Ａの側面に固定ピン９５Ａの縦格子材９１側の一端から固定ピン９５Ａの長手方向に沿って延長されたガイド溝９５２を形成し、ガイド溝９５２の底面の一部に係合穴部９５３を形成しておく。この固定ピン９５Ａを第１実施形態と同じく貫通孔９１Ａおよび孔１３２Ｃに押し込むことで、面格子９０を縦枠１３に固定できる。
一方、固定ピン９５Ａを取り外すには、特殊な工具９５５を用いる。この工具９５５は、工具本体９５５Ａと、工具本体９５５Ａの先端から折り返されて形成された係合部９５５Ｂとを備えて構成されている。係合部９５５Ｂは、工具本体９５５Ａにつながる折り返し部の弾性力によって、工具本体９５５Ａからある程度離れるように構成されている。
この工具９５５の先端部をガイド溝９５２内に挿入し、係合部９５５Ｂを係合穴部９５３の位置まで移動すると、ガイド溝９５２によって工具本体９５５Ａ側に押されていた係合部９５５Ｂが自動的に工具本体９５５Ａから離れ、係合穴部９５３に係合する。従って、そのまま工具９５５を引き出すと、固定ピン９５Ａを孔１３２Ｃから取り外すことができ、これにより面格子９０を窓枠１０から取り外すことができる。
また、図８の固定ピン９５Ａの縦格子材９１側の一端面は、縦格子材９１の表面と面一となるように配置されている。
【００３４】
また、図９に示すように、固定ピン９５Ｂの縦格子材９１側の一端面に、固定ピン９５Ｂの長手方向に沿って延長されたガイド孔９５６を形成してもよい。ガイド孔９５６には、ガイド孔９５６に対して直交する係合穴部９５７を形成しておく。この固定ピン９５Ｂも、第１実施形態と同じく貫通孔９１Ａおよび孔１３２Ｃに押し込むことで、面格子９０を縦枠１３に固定できる。
一方、固定ピン９５Ｂを取り外すには、特殊な工具９５８を用いる。この工具９５８は、工具本体９５８Ａの先端に折曲部９５８Ｂが連続して形成されている。そして、工具９５８の先端部をガイド孔９５６内に挿入し、工具９５８を９０度回転させることで折曲部９５８Ｂを係合穴部９５７に係合させる。従って、そのまま工具９５８を引き出すと、固定ピン９５Ｂを孔１３２Ｃから取り外すことができ、これにより面格子９０を窓枠１０から取り外すことができる。
【００３５】
なお、図９では、ガイド孔９５６を断面長方形状に形成し、その長辺方向に折曲部９５８Ｂを向けなければガイド孔９５６内に工具９５８を挿入することができないようにされている。この際、係合穴部９５７をガイド孔９５６の短辺方向側に設け、工具９５８を９０度回して折曲部９５８Ｂを係合穴部９５７に係合させていたが、係合穴部９５７をガイド孔９５６の長辺方向側に設け、工具９５８をガイド孔９５６の長辺方向にスライド移動させることで折曲部９５８Ｂを係合穴部９５７に係合させてもよい。
【００３６】
これらのように、固定ピン９５Ａ，９５Ｂを専用の工具９５５，９５８によって取り外すことができるように構成すれば、工具９５５，９５８を所持する人は容易に固定ピン９５Ａ，９５Ｂを取り外して面格子９０を交換などすることができ、メンテナンス作業性を向上できる。
一方、専用の工具９５５，９５８を所持していない人は固定ピン９５Ａ，９５Ｂを取り外すことができないので、面格子９０が簡単に取り外されてしまうこともなく、防犯性能を確保できる。
【００３７】
また、固定ピンとしては、前記各実施形態のように一端面が平面状に形成されたものに限らず、例えば、図１０に示すように、一端９５９が、その先端側に向かうにしたがって径が小さくなる先細形状とされた固定ピン９５Ｃを用いてもよい。すなわち、固定ピン９５Ｃは、図１０に示すように、その一端９５９が半球状に形成されていたり、円錐状に形成されていればよい。このような固定ピン９５Ｃでは、固定ピン９５Ｃの一端９５９の外周部分つまり固定ピン９５Ｃの軸方向に平行な側面において最も一端側の位置が、縦格子材９１の表面と面一あるいは表面に没入されるように配置すればよく、その半球状や円錐状とされた部分は縦格子材９１の表面から突出していてもよい。
【００３８】
このような構成においては、固定ピン９５Ｃの先細形状とされた一端９５９は、固定ピン９５Ｃの軸方向に対して傾斜した面となるため、ペンチで掴もうとしても、傾斜面に沿ってペンチが滑ってしまい、固定ピン９５Ｃを掴むことができない。このように、固定ピン９５Ｃの先細形状とされた一端９５９が縦格子材９１の表面から突出されていても、固定ピン９５Ｃの軸方向に平行な側面が縦格子材９１の表面から突出しないように配置すれば、固定ピン９５Ｃの取り外しを防止できる。
【００３９】
さらに、本発明において、機能部品は面格子９０に限定されない。例えば、図１１に示すように、機能部品としてフラワーボックス１００を窓枠１０に取り付ける際に、前記固定ピン９５，９５Ａ，９５Ｂ，９５Ｃを用いて固定してもよい。
また、図１２に示すように、機能部品として手摺部品１０１を窓枠１０に取り付ける際に、前記固定ピン９５，９５Ａ，９５Ｂ，９５Ｃを用いて固定してもよい。
さらに、面格子９０は、上部障子２０の室外側を覆うものに限らず、上下の障子２０，３０の室外側を覆うように設けてもよい。
なお、機能部品としては、直射日光を遮蔽するための日除け部材や、外から室内が見られないようにするための目隠し部材などを用いてもよい。
【００４０】
また、機能部品が取り付けられる建具としては、前記実施形態の上げ下げ窓１に限定されず、引違い窓やＦＩＸ窓、ドア等を利用してもよい。
【００４１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４２】
【図１】本発明の実施形態に係る建具を室外側から見た正面図である。
【図２】前記建具を示す縦断面図である。
【図３】前記建具を示す横断面図であり、上部障子位置での横断面図である。
【図４】前記建具を示す横断面図であり、下部障子位置での横断面図である。
【図５】前記建具における格子材の取付構造を拡大して示す横断面図である。
【図６】本発明の変形例に係る格子材の取付構造を示す横断面図である。
【図７】本発明の他の変形例に係る固定ピンを示す概略斜視図である。
【図８】図７の固定ピンを示す概略正面図である。
【図９】本発明の他の変形例に係る固定ピンを示す概略斜視図である。
【図１０】本発明の他の変形例に係る固定ピンを用いた格子材の取付構造を示す横断面図である。
【図１１】本発明の他の変形例に係る機能部品としてフラワーボックスを取り付けた建具を室外側から見た正面図である。
【図１２】本発明の他の変形例に係る機能部品として手摺部材を取り付けた建具を室外側から見た正面図である。
【符号の説明】
【００４３】
１…上げ下げ窓、１０…窓枠、１１…上枠、１２…下枠、１３…縦枠、２０…上部障子、３０…下部障子、９０…機能部品ある面格子、９１…取付ベースである縦格子材、９１Ａ…貫通孔、９２…横格子材、９３…中格子材、９５，９５Ａ，９５Ｂ，９５Ｃ…固定ピン、９６…保持部品、１００…機能部品であるフラワーボックス、１０１…機能部品である手摺部品、１３２Ａ…見込み面部、１３２Ｂ…筒状部、１３２Ｃ…孔、９５１…係合溝、９５２…ガイド溝、９５３…係合穴部、９５５…工具、９５５Ａ…工具本体、９５５Ｂ…係合部、９５６…ガイド孔、９５７…係合穴部、９５８…工具、９５８Ａ…工具本体、９５８Ｂ…折曲部、９６１…係合突部。
【図１】
2006233717.tif 000003
【図２】
2006233717.tif 000004
【図３】
2006233717.tif 000005
【図４】
2006233717.tif 000006
【図５】
2006233717.tif 000007
【図６】
2006233717.tif 000008
【図７】
2006233717.tif 000009
【図８】
2006233717.tif 000010
【図９】
2006233717.tif 000011
【図１０】
2006233717.tif 000012
【図１１】
2006233717.tif 000013
【図１２】
2006233717.tif 000014